(57)【要約】【課題】プリンタや複合機等の画像形成装置における、両面印刷時の印刷調整の効率化及び印刷品質の高品質化を図る。【解決手段】印刷される記録媒体が収納された記録媒体供給トレイ又は記録媒体の種類に応じて、調整標準値（印刷調整標準値）と記録媒体供給トレイに対応づけて記憶された調整値（印刷調整オフセット値）とを読み出し、当該読み出された調整標準値及び調整値に基づいて記録媒体の表裏毎に印刷調整を行う。【選択図】図５
2005138575.tif 000002
【特許請求の範囲】
【請求項１】
記録媒体を収納する記録媒体供給トレイと、
前記記録媒体に画像を印刷するための印刷部と、
前記印刷部における印刷のための調整値を表裏毎に前記記録媒体の種類又は前記記録媒体供給トレイと対応づけて記憶する記憶部と、
前記記憶部に記憶されている前記表裏毎の調整値に応じて、前記印刷部における画像の印刷が前記表裏毎に調整されるよう前記印刷部を制御するための制御部と、
を有することを特徴とする画像形成装置。
【請求項２】
前記記憶部は、前記調整値を前記記録媒体供給トレイと対応づけて記憶することを特徴とする請求項１に記載の画像形成装置。
【請求項３】
前記記録媒体供給トレイを複数有し、
前記記憶部は、前記調整値を前記複数の記録媒体供給トレイのうち少なくとも１つと対応づけて記憶することを特徴とする請求項１に記載の画像形成装置。
【請求項４】
複数の前記記録媒体供給トレイと、
前記調整値を前記記録媒体供給トレイとの対応付けを指示する指示手段と、
を有することを特徴とする請求項１に記載の画像形成装置。
【請求項５】
前記記憶部は、前記調整値を前記記録媒体の種類と対応づけて記憶することを特徴とする請求項１に記載の画像形成装置。
【請求項６】
前記記録媒体の種類は、前記記録媒体の斤量に基づいて分類されていることを特徴とする請求項５に記載の画像形成装置。
【請求項７】
前記記録媒体の種類は、前記記録媒体が光沢紙であるか否かに基づいて分類されていることを特徴とする請求項５に記載の画像形成装置。
【請求項８】
前記調整値と前記記録媒体の種類との対応づけを指示する指示手段を有することを特徴とする請求項５〜７の何れか一項に記載の画像形成装置。
【請求項９】
前記調整値を表す名称を付して前記記憶部に記憶させることを特徴とする請求項１〜８の何れか一項に記載の画像形成装置。
【請求項１０】
前記制御部は、前記名称に基づいて前記調整値を読み出し、当該読み出された調整値に基づいて前記印刷部を制御することを特徴とする請求項９に記載の画像形成装置。
【請求項１１】
表示手段を有し、
前記制御部は、所定の記録媒体供給トレイに対し、現在設定されている調整値を表す名称を、当該記録媒体供給トレイに関連付けて前記表示手段に表示するよう制御することを特徴とする請求項１に記載の画像形成装置。
【請求項１２】
前記制御部は、前記名称を前記表示手段の基本操作画面中に表示するよう制御することを特徴とする請求項１１に記載の画像形成装置。
【請求項１３】
表示手段を有し、
前記制御部は、前記調整値が前記記録媒体の種類又は前記記録媒体供給トレイと対応づけて前記記憶部に記憶されている場合に、前記調整値が記憶されていることを前記表示手段に表示させるよう制御することを特徴とする請求項１に記載の画像形成装置。
【請求項１４】
前記記憶部は、複数の前記調整値を前記記録媒体の種類又は前記記録媒体供給トレイと対応づけて記憶することを特徴とする請求項１に記載の画像形成装置。
【請求項１５】
前記記憶部は、前記印刷部における前記記録媒体への印刷のための調整標準値と、前記記録媒体供給トレイに対応づけられた前記調整値と、を記憶し、
前記制御部は、前記印刷部で印刷される記録媒体が収納された記録媒体供給トレイに応じて、前記記憶部から前記調整値を選択し、当該選択された調整値と前記調整標準値とに基づいて前記印刷部を制御することを特徴とする請求項１に記載の画像形成装置。
【請求項１６】
前記記憶部は、前記印刷部における前記記録媒体への印刷のための調整標準値と、前記記録媒体供給トレイに対応づけられた前記調整値と、を記憶し、
前記制御部は、前記印刷部で印刷される記録媒体の種類に応じて、前記記憶部から前記調整値を選択し、当該選択された調整値と前記調整標準値とに基づいて前記印刷部を制御することを特徴とする請求項１に記載の画像形成装置。
【請求項１７】
前記調整標準値は、前記記録媒体の表裏毎に前記記憶部に記憶されていることを特徴とする請求項１５又は１６に記載の画像形成装置。
【請求項１８】
前記記憶部は、複数の調整標準値を含む調整標準値群を記憶することを特徴とする請求項１５〜１７の何れか一項に記載の画像形成装置。
【請求項１９】
前記記憶部は、複数の調整値を含む調整値群を記憶することを特徴とする請求項１〜１８の何れか一項に記載の画像形成装置。
【請求項２０】
前記制御部は、所定の記録媒体供給トレイに対し、現在設定されている調整値のうち少なくとも一つの調整値が変更されると、前記調整値の名称を前記表示手段に表示しないよう制御することを特徴とする請求項１２に記載の画像形成装置。
【請求項２１】
前記制御部は、入力された指示に応じて、前記記憶部に記憶された前記調整値群を一括して消去することを特徴とする請求項１９に記載の画像形成装置。
【請求項２２】
前記記憶部は、前記調整値を用いて印刷調整を行うか否かを示すフラグ情報を記憶し、
前記制御部は、前記フラグ情報に基づいて前記調整値を用いて印刷調整を行うか否かを決定することを特徴とする請求項１〜２１の何れか一項に記載の画像形成装置。
【請求項２３】
前記制御部は、前記調整標準値の入力中には、前記調整値を用いた印刷調整を行わないように制御することを特徴とする請求項１５〜１８の何れか一項に記載の画像形成装置。
【請求項２４】
印刷用の記録媒体を収納する複数の記録媒体供給トレイと、
複数の調整標準値を含む調整標準値群と該調整標準値群の各調整標準値を変更するための複数の調整値を含む調整値群とを、前記記録媒体供給トレイに対応付けて記憶する記憶部と、
前記調整標準値群及び調整値群に基づいて当該調整標準値群及び調整値群に対応付けされた記録媒体供給トレイから供給される記録媒体に対する印刷調整を、該記録媒体の表裏毎に行うよう制御する制御部と、
を有し、
前記制御部は、前記調整値群を、該調整値群を表す名称を付して前記記憶部に記憶すると共に、該調整値群を該名称に基づいて読み出すこと、
を特徴とする画像形成装置。
【請求項２５】
前記制御部は、所定の記録媒体供給トレイに対して現在設定されている調整値群を表す名称を、当該記録媒体供給トレイに関連付けて基本操作画面中に表示するよう制御することを特徴とする請求項２４に記載の画像形成装置。
【請求項２６】
前記制御部は、所定の記録媒体供給トレイに対し現在適用されている前記調整値群の各調整値のうち、少なくとも一つの調整値が変更されると、当該調整値群の名称を前記基本操作画面中に表示しないよう制御することを特徴とする請求項２５に記載の画像形成装置。
【請求項２７】
印刷用の記録媒体を収納する複数の記録媒体供給トレイと、
複数の調整標準値を含む調整標準値群と該調整標準値群の各調整標準値を変更するための複数の調整値を含む調整値群とを、前記各記録媒体供給トレイに対応付けて記憶する記憶部と、
前記記憶された調整標準値群及び調整値群に基づき、当該調整標準値群及び調整値群に対応付けされた記録媒体供給トレイから供給される記録媒体に対する印刷調整を、該記録媒体の表裏毎に行うよう制御する制御部と、
を有し、
前記制御部は、所定の調整値群が前記複数の記録媒体供給トレイのうちの何れか一つに対応付けて前記記憶部に記憶されている場合には、この旨を示す情報を、当該記録媒体供給トレイに関連付けて、基本操作の指示入力を行う画面中に表示するよう制御することを特徴とする画像形成装置。
【請求項２８】
前記制御部は、入力された指示に応じて、所定の調整値群に含まれる全調整値を前記記憶部から一括して消去するよう制御することを特徴とする請求項２７に記載の画像形成装置。
【請求項２９】
前記記憶部は、前記調整値群を用いて印刷調整を行うか否かを前記制御部に指示するためのフラグ情報を更に記憶し、
前記制御部は、前記フラグ情報に基づいて前記調整値群を用いて印刷調整を行う、又は行わないよう制御することを特徴とする請求項２８に記載の画像形成装置。
【請求項３０】
前記制御部は、前記調整標準値群の入力中には、前記調整値群を用いた印刷調整を行わないよう制御することを特徴とする請求項２７〜２９の何れか一項に記載の画像形成装置。
【請求項３１】
前記記憶部は、不揮発メモリであることを特徴とする請求項１〜３０の何れか一項に記載の画像形成装置。
【請求項３２】
記録媒体を収納する記録媒体供給トレイと、前記記録媒体に画像を印刷するための印刷部と、前記印刷部における印刷のための調整値を表裏毎に前記記録媒体の種類又は前記記録媒体供給トレイと対応づけて記憶する記憶部と、を有し、前記調整値に基づいて当該調整値に対応付けされた記録媒体供給トレイから供給される記録媒体に対する印刷調整が該記録媒体の表裏毎に可能な画像形成装置を制御して画像形成を行うための画像形成方法であって、
前記記憶部に記憶されている前記表裏毎の調整値に応じて、前記印刷部における画像の印刷が前記表裏毎に調整されるよう前記印刷部を制御する工程を含むことを特徴とする画像形成方法。
【請求項３３】
前記記憶部に、前記調整値を前記記録媒体供給トレイと対応づけて記憶する工程を更に含むことを特徴とする請求項３２に記載の画像形成方法。
【請求項３４】
前記記録媒体供給トレイを複数有し、
前記記憶部に、前記調整値を前記複数の記録媒体供給トレイのうち少なくとも１つと対応づけて記憶する工程を更に含むことを特徴とする請求項３２に記載の画像形成方法。
【請求項３５】
前記記録媒体供給トレイを複数有し、
前記調整値を前記記録媒体供給トレイとの対応付けを指示する工程を更に含むことを特徴とする請求項３２に記載の画像形成方法。
【請求項３６】
前記記憶部に、前記調整値を前記記録媒体の種類と対応づけて記憶する工程を更に含むことを特徴とする請求項３２に記載の画像形成方法。
【請求項３７】
前記記録媒体の種類は、前記記録媒体の斤量に基づいて分類されていることを特徴とする請求項３６に記載の画像形成方法。
【請求項３８】
前記記録媒体の種類は、前記記録媒体が光沢紙であるか否かに基づいて分類されていることを特徴とする請求項３６に記載の画像形成方法。
【請求項３９】
前記調整値と前記記録媒体の種類との対応づけを指示する工程を更に含むことを特徴とする請求項３６〜３８の何れか一項に記載の画像形成方法。
【請求項４０】
前記調整値を表す名称を付して前記記憶部に記憶する工程を更に含むことを特徴とする請求項３２〜３９の何れか一項に記載の画像形成方法。
【請求項４１】
前記名称に基づいて前記調整値を読み出す工程と、
当該読み出された調整値に基づいて前記印刷部を制御する工程と、
を更に含むことを特徴とする請求項４０に記載の画像形成方法。
【請求項４２】
表示手段を有し、
所定の記録媒体供給トレイに対し、現在設定されている調整値を表す名称を、当該記録媒体供給トレイに関連付けて前記表示手段に表示するよう制御する工程を更に含むことを特徴とする請求項３２に記載の画像形成方法。
【請求項４３】
前記名称を前記表示手段の基本操作画面中に表示するよう制御する工程を更に含むことを特徴とする請求項４２に記載の画像形成方法。
【請求項４４】
表示手段を有し、
前記調整値が前記記録媒体の種類又は前記記録媒体供給トレイと対応づけて前記記憶部に記憶されている場合に、前記調整値が記憶されていることを前記表示手段に表示させるよう制御する工程を更に含むことを特徴とする請求項３２に記載の画像形成方法。
【請求項４５】
前記記憶部に、複数の前記調整値が前記記録媒体の種類又は前記記録媒体供給トレイと対応づけて記憶する工程を更に含むことを特徴とする請求項３２に記載の画像形成方法。
【請求項４６】
前記記憶部に、前記印刷部における前記記録媒体への印刷のための調整標準値と、前記記録媒体供給トレイに対応づけられた前記調整値と、を記憶する工程と、
前記印刷部で印刷される記録媒体が収納された記録媒体供給トレイに応じて、前記記憶部から前記調整値を選択する工程と、
当該選択された調整値と前記調整標準値とに基づいて前記印刷部を制御する工程と、
を更に含むことを特徴とする請求項３２に記載の画像形成方法。
【請求項４７】
前記記憶部に、前記印刷部における前記記録媒体への印刷のための調整標準値と、前記記録媒体供給トレイに対応づけられた前記調整値と、を記憶する工程と、
前記印刷部で印刷される記録媒体の種類に応じて、前記記憶部から前記調整値を選択する工程と、
当該選択された調整値と前記調整標準値とに基づいて前記印刷部を制御する工程と、
を更に含むことを特徴とする請求項３２に記載の画像形成方法。
【請求項４８】
前記記憶部に、前記記録媒体の表裏毎に前記調整標準値を記憶する工程を更に含むことを特徴とする請求項４６又は４７に記載の画像形成方法。
【請求項４９】
前記記憶部に、複数の調整標準値を含む調整標準値群を記憶する工程を更に含むことを特徴とする請求項４６〜４８の何れか一項に記載の画像形成方法。
【請求項５０】
前記記憶部に、複数の調整値を含む調整値群を記憶する工程を更に含むことを特徴とする請求項３２〜４９の何れか一項に記載の画像形成方法。
【請求項５１】
所定の記録媒体供給トレイに対し、現在設定されている調整値のうち少なくとも一つの調整値が変更されると、前記調整値の名称を前記表示手段に表示しないよう制御する工程を更に含むことを特徴とする請求項４３に記載の画像形成方法。
【請求項５２】
入力された指示に応じて、前記記憶部に記憶されている前記調整値群を一括して消去する工程を更に含むことを特徴とする請求項５０に記載の画像形成方法。
【請求項５３】
前記記憶部に、前記調整値を用いて印刷調整を行うか否かを示すフラグ情報を記憶する工程と、
前記フラグ情報に基づいて前記調整値を用いて印刷調整を行うか否かを決定する工程と、
を更に含むことを特徴とする請求項３２〜５２の何れか一項に記載の画像形成方法。
【請求項５４】
前記調整標準値の入力中には、前記調整値を用いた印刷調整を行わないように制御する工程を更に含むことを特徴とする請求項４６〜４９の何れか一項に記載の画像形成方法。
【請求項５５】
印刷用の記録媒体を収納する複数の記録媒体供給トレイと、複数の調整標準値を含む調整標準値群と該調整標準値群の各印刷調整値を変更するための複数の調整値を含む調整値群とを前記記録媒体供給トレイに対応付けて記憶する記憶部と、を有し、前記調整標準値群及び調整値群に基づいて当該調整標準値群及び調整値群に対応付けされた記録媒体供給トレイから供給される記録媒体に対する印刷調整が該記録媒体の表裏毎に可能な画像形成装置を制御して画像形成を行うための画像形成方法であって、
前記調整値群を、該調整値群を表す名称を付して前記記憶部に記憶する工程と、
前記調整値群を前記名称に基づいて読み出す工程と、
を含むことを特徴とする画像形成方法。
【請求項５６】
所定の記録媒体供給トレイに対して現在設定されている前記調整値群を表す名称を、当該調整値群が適用されている記録媒体供給トレイに関連付けて基本操作画面中に表示するよう制御する工程を更に含むことを特徴とする請求項５５に記載の画像形成方法。
【請求項５７】
所定の記録媒体供給トレイに対し現在適用されている前記調整値群の各調整値のうち、少なくとも一つの調整値が変更されると、当該調整値群の名称を前記基本操作画面中に表示しないよう制御する工程を更に含むことを特徴とする請求項５６に記載の画像形成方法。
【請求項５８】
印刷用の記録媒体を収納する複数の記録媒体供給トレイと、複数の調整標準値を含む調整標準値群と該調整標準値群の各調整標準値を変更するための複数の調整値を含む調整値群とを前記記録媒体供給トレイに対応付けて記憶する記憶部と、を有し、前記記憶された調整標準値群及び調整値群に基づき、当該調整標準値群及び調整値群に対応付けされた記録媒体供給トレイから供給される記録媒体に対する印刷調整が該記録媒体の表裏毎に可能な画像形成装置を制御して画像形成を行うための画像形成方法であって、
所定の調整値群が前記複数の記録媒体供給トレイのうちの何れか一つに対応付けて前記記憶部に記憶されている場合には、この旨を示す情報を、当該記録媒体供給トレイに関連付けて、基本操作の指示入力を行う画面中に表示する工程を含むことを特徴とする画像形成方法。
【請求項５９】
入力された指示に応じて、所定の調整値群に含まれる全調整値を前記記憶部から一括して消去する工程を更に含むことを特徴とする請求項５８に記載の画像形成方法。
【請求項６０】
前記記憶部に、前記調整値群を用いて印刷調整を行うか否かを指示するためのフラグ情報を記憶する工程と、
前記フラグ情報に基づいて前記調整値群を用いて印刷調整を行う、又は行わないよう制御する工程と、
を更に含むことを特徴とする請求項５９に記載の画像形成方法。
【請求項６１】
前記調整標準値群の入力中には、前記調整値群を用いた印刷調整を行わないよう制御する工程を更に含むことを特徴とする請求項５８〜６０の何れか一項に記載の画像形成方法。
【請求項６２】
前記記憶部は、不揮発メモリであることを特徴とする請求項３２〜６１の何れか一項に記載の画像形成方法。
【発明の詳細な説明】
【技術分野】
【０００１】
本発明は、複数の記録媒体供給記録媒体供給トレイを備え、該記録媒体供給記録媒体供給トレイから供給される記録媒体に対し両面印刷が可能なプリンタや複合機等の画像形成装置及び画像形成方法に関する。
【背景技術】
【０００２】
従来、紙等の印刷用の記録媒体に対し様々な印刷倍率で印刷が行えるプリンタや複合機等の画像形成装置が開発されている。例えば、特許文献１には、印刷用紙に対し、走査速度を調整することにより所望する印刷倍率に印刷調整して画像形成を行う技術が開示されている。
【特許文献１】特開２００２―３０５６５３号公報
【発明の開示】
【発明が解決しようとする課題】
【０００３】
近年、電子写真方式による画像形成が可能なプリンタや複合機等の画像形成装置が利用されるようになり、より詳細な印刷調整（印刷倍率調整や印刷位置調整等）が要求されるようになってきている。特に、一枚の印刷用紙の表裏両面に対し印刷を行う場合、表面の印刷後に裏面を印刷すると、裏面印刷時における印刷用紙の温度は表面印刷時に比べて上昇し、印刷用紙の大きさが変化してしまうため、両面印刷を行う場合には裏面印刷に対する印刷調整が必要不可欠なものとなる。
また、このような印刷調整は、印刷用記録媒体の種類に応じて一般に異なったものとなる。最近では、印刷用記録媒体の種類（例えば、印刷用の紙やＯＨＰ（OverHead Projector）シート等）も多様化し、印刷用の紙であっても、材質、斤量、サイズ、厚み、コート／非コート等に応じて種々用いられているため、高い画像品質を要求する場合には、上記紙種に応じた印刷調整値を個々のプリント処理毎に設定する必要がある。
【０００４】
本発明の課題は、プリンタや複合機等の画像形成装置における、両面印刷時の印刷調整の効率化及び印刷品質の高品質化を図ることである。
【課題を解決するための手段】
【０００５】
上記課題を解決するため、請求項１に記載の発明は、
記録媒体を収納する記録媒体供給トレイと、
前記記録媒体に画像を印刷するための印刷部と、
前記印刷部における印刷のための調整値を表裏毎に前記記録媒体の種類又は前記記録媒体供給トレイと対応づけて記憶する記憶部と、
前記記憶部に記憶されている前記表裏毎の調整値に応じて、前記印刷部における画像の印刷が前記表裏毎に調整されるよう前記印刷部を制御するための制御部と、
を有することを特徴とする。
【０００６】
更に、請求項２に記載の発明のように、請求項１に記載の発明において、
前記記憶部は、前記調整値を前記記録媒体供給トレイと対応づけて記憶することが好ましい。
【０００７】
更に、請求項３に記載の発明のように、請求項１に記載の発明において、
前記記録媒体供給トレイを複数有し、
前記記憶部は、前記調整値を前記複数の記録媒体供給トレイのうち少なくとも１つと対応づけて記憶することが好ましい。
【０００８】
更に、請求項４に記載の発明のように、請求項１に記載の発明において、
複数の前記記録媒体供給トレイと、
前記調整値を前記記録媒体供給トレイとの対応付けを指示する指示手段と、
を有することが好ましい。
【０００９】
更に、請求項５に記載の発明のように、請求項１に記載の発明において、
前記記憶部は、前記調整値を前記記録媒体の種類と対応づけて記憶することが好ましい。
【００１０】
更に、請求項６に記載の発明のように、請求項５に記載の発明において、
前記記録媒体の種類は、前記記録媒体の斤量に基づいて分類されていることが好ましい。
【００１１】
更に、請求項７に記載の発明のように、請求項５に記載の発明において、
前記記録媒体の種類は、前記記録媒体が光沢紙であるか否かに基づいて分類されていることが好ましい。
【００１２】
更に、請求項８に記載の発明のように、請求項５〜７の何れか一項に記載の発明において、
前記調整値と前記記録媒体の種類との対応づけを指示する指示手段を有することが好ましい。
【００１３】
更に、請求項９に記載の発明のように、請求項１〜８の何れか一項に記載の発明において、
前記調整値を表す名称を付して前記記憶部に記憶させることが好ましい。
【００１４】
更に、請求項１０に記載の発明のように、請求項９に記載の発明において、
前記制御部は、前記名称に基づいて前記調整値を読み出し、当該読み出された調整値に基づいて前記印刷部を制御することが好ましい。
【００１５】
更に、請求項１１に記載の発明のように、請求項１に記載の発明において、
表示手段を有し、
前記制御部は、所定の記録媒体供給トレイに対し、現在設定されている調整値を表す名称を、当該記録媒体供給トレイに関連付けて前記表示手段に表示するよう制御することが好ましい。
【００１６】
更に、請求項１２に記載の発明のように、請求項１１に記載の発明において、
前記制御部は、前記名称を前記表示手段の基本操作画面中に表示するよう制御することが好ましい。
【００１７】
更に、請求項１３に記載の発明のように、請求項１に記載の発明において、
表示手段を有し、
前記制御部は、前記調整値が前記記録媒体の種類又は前記記録媒体供給トレイと対応づけて前記記憶部に記憶されている場合に、前記調整値が記憶されていることを前記表示手段に表示させるよう制御することが好ましい。
【００１８】
更に、請求項１４に記載の発明のように、請求項１に記載の発明において、
前記記憶部は、複数の前記調整値を前記記録媒体の種類又は前記記録媒体供給トレイと対応づけて記憶することが好ましい。
【００１９】
更に、請求項１５に記載の発明のように、請求項１に記載の発明において、
前記記憶部は、前記印刷部における前記記録媒体への印刷のための調整標準値と、前記記録媒体供給トレイに対応づけられた前記調整値と、を記憶し、
前記制御部は、前記印刷部で印刷される記録媒体が収納された記録媒体供給トレイに応じて、前記記憶部から前記調整値を選択し、当該選択された調整値と前記調整標準値とに基づいて前記印刷部を制御することが好ましい。
【００２０】
更に、請求項１６に記載の発明のように、請求項１に記載の発明において、
前記記憶部は、前記印刷部における前記記録媒体への印刷のための調整標準値と、前記記録媒体供給トレイに対応づけられた前記調整値と、を記憶し、
前記制御部は、前記印刷部で印刷される記録媒体の種類に応じて、前記記憶部から前記調整値を選択し、当該選択された調整値と前記調整標準値とに基づいて前記印刷部を制御することが好ましい。
【００２１】
更に、請求項１７に記載の発明のように、請求項１５又は１６に記載の発明において、
前記調整標準値は、前記記録媒体の表裏毎に前記記憶部に記憶されていることが好ましい。
【００２２】
更に、請求項１８に記載の発明のように、請求項１５〜１７の何れか一項に記載の発明において、
前記記憶部は、複数の調整標準値を含む調整標準値群を記憶することが好ましい。
【００２３】
更に、請求項１９に記載の発明のように、請求項１〜１８の何れか一項に記載の発明において、
前記記憶部は、複数の調整値を含む調整値群を記憶することが好ましい。
【００２４】
更に、請求項２０に記載の発明のように、請求項１２に記載の発明において、
前記制御部は、所定の記録媒体供給トレイに対し、現在設定されている調整値のうち少なくとも一つの調整値が変更されると、前記調整値の名称を前記表示手段に表示しないよう制御することが好ましい。
【００２５】
更に、請求項２１に記載の発明のように、請求項１９に記載の発明において、
前記制御部は、入力された指示に応じて、前記記憶部に記憶された前記調整値群を一括して消去することが好ましい。
【００２６】
更に、請求項２２に記載の発明のように、請求項１〜２１の何れか一項に記載の発明において、
前記記憶部は、前記調整値を用いて印刷調整を行うか否かを示すフラグ情報を記憶し、
前記制御部は、前記フラグ情報に基づいて前記調整値を用いて印刷調整を行うか否かを決定することが好ましい。
【００２７】
更に、請求項２３に記載の発明のように、請求項１５〜１８の何れか一項に記載の発明において、
前記制御部は、前記調整標準値の入力中には、前記調整値を用いた印刷調整を行わないように制御することが好ましい。
【００２８】
また、上記課題を解決するため、請求項２４に記載の発明は、
印刷用の記録媒体を収納する複数の記録媒体供給トレイと、
複数の調整標準値を含む調整標準値群と該調整標準値群の各調整標準値を変更するための複数の調整値を含む調整値群とを、前記記録媒体供給トレイに対応付けて記憶する記憶部と、
前記調整標準値群及び調整値群に基づいて当該調整標準値群及び調整値群に対応付けされた記録媒体供給トレイから供給される記録媒体に対する印刷調整を、該記録媒体の表裏毎に行うよう制御する制御部と、
を有し、
前記制御部は、前記調整値群を、該調整値群を表す名称を付して前記記憶部に記憶すると共に、該調整値群を該名称に基づいて読み出すことを特徴とする。
【００２９】
更に、請求項２５に記載の発明のように、請求項２４に記載の発明において、
前記制御部は、所定の記録媒体供給トレイに対して現在設定されている調整値群を表す名称を、当該記録媒体供給トレイに関連付けて基本操作画面中に表示するよう制御することが好ましい。
【００３０】
更に、請求項２６に記載の発明のように、請求項２５に記載の発明において、
前記制御部は、所定の記録媒体供給トレイに対し現在適用されている前記調整値群の各調整値のうち、少なくとも一つの調整値が変更されると、当該調整値群の名称を前記基本操作画面中に表示しないよう制御することが好ましい。
【００３１】
また、上記課題を解決するため、請求項２７に記載の発明は、
印刷用の記録媒体を収納する複数の記録媒体供給トレイと、
複数の調整標準値を含む調整標準値群と該調整標準値群の各調整標準値を変更するための複数の調整値を含む調整値群とを、前記各記録媒体供給トレイに対応付けて記憶する記憶部と、
前記記憶された調整標準値群及び調整値群に基づき、当該調整標準値群及び調整値群に対応付けされた記録媒体供給トレイから供給される記録媒体に対する印刷調整を、該記録媒体の表裏毎に行うよう制御する制御部と、
を有し、
前記制御部は、所定の調整値群が前記複数の記録媒体供給トレイのうちの何れか一つに対応付けて前記記憶部に記憶されている場合には、この旨を示す情報を、当該記録媒体供給トレイに関連付けて、基本操作の指示入力を行う画面中に表示するよう制御すること、
を特徴とする。
【００３２】
更に、請求項２８に記載の発明のように、請求項２７に記載の発明において、
前記制御部は、入力された指示に応じて、所定の調整値群に含まれる全調整値を前記記憶部から一括して消去するよう制御することが好ましい。
【００３３】
更に、請求項２９に記載の発明のように、請求項２８に記載の発明において、
前記記憶部は、前記調整値群を用いて印刷調整を行うか否かを前記制御部に指示するためのフラグ情報を更に記憶し、
前記制御部は、前記フラグ情報に基づいて前記調整値群を用いて印刷調整を行う、又は行わないよう制御することが好ましい。
【００３４】
更に、請求項３０に記載の発明のように、請求項２７〜２９の何れか一項に記載の発明において、
前記制御部は、前記調整標準値群の入力中には、前記調整値群を用いた印刷調整を行わないよう制御することが好ましい。
【００３５】
更に、請求項３１に記載の発明のように、請求項１〜３０の何れか一項に記載の発明において、
前記記憶部は、不揮発メモリであることが好ましい。
【００３６】
また、上記課題を解決するため、請求項３２に記載の発明は、
記録媒体を収納する記録媒体供給トレイと、前記記録媒体に画像を印刷するための印刷部と、前記印刷部における印刷のための調整値を表裏毎に前記記録媒体の種類又は前記記録媒体供給トレイと対応づけて記憶する記憶部と、を有し、前記調整値に基づいて当該調整値に対応付けされた記録媒体供給トレイから供給される記録媒体に対する印刷調整が該記録媒体の表裏毎に可能な画像形成装置を制御して画像形成を行うための画像形成方法であって、
前記記憶部に記憶されている前記表裏毎の調整値に応じて、前記印刷部における画像の印刷が前記表裏毎に調整されるよう前記印刷部を制御する工程を含むことを特徴とする。
【００３７】
更に、請求項３３に記載の発明のように、請求項３２に記載の発明において、
前記記憶部に、前記調整値を前記記録媒体供給トレイと対応づけて記憶する工程を更に含むことが好ましい。
【００３８】
更に、請求項３４に記載の発明のように、請求項３２に記載の発明において、
前記記録媒体供給トレイを複数有し、
前記記憶部に、前記調整値を前記複数の記録媒体供給トレイのうち少なくとも１つと対応づけて記憶する工程を更に含むことが好ましい。
【００３９】
更に、請求項３５に記載の発明のように、請求項３２に記載の発明において、
前記記録媒体供給トレイを複数有し、
前記調整値を前記記録媒体供給トレイとの対応付けを指示する工程を更に含むことが好ましい。
【００４０】
更に、請求項３６に記載の発明のように、請求項３２に記載の発明において、
前記記憶部に、前記調整値を前記記録媒体の種類と対応づけて記憶する工程を更に含むことが好ましい。
【００４１】
更に、請求項３７に記載の発明のように、請求項３６に記載の発明において、
前記記録媒体の種類は、前記記録媒体の斤量に基づいて分類されていることが好ましい。
【００４２】
更に、請求項３８に記載の発明のように、請求項３６に記載の発明において、
前記記録媒体の種類は、前記記録媒体が光沢紙であるか否かに基づいて分類されていることが好ましい。
【００４３】
更に、請求項３９に記載の発明のように、請求項３６〜３８の何れか一項に記載の発明において、
前記調整値と前記記録媒体の種類との対応づけを指示する工程を更に含むことが好ましい。
【００４４】
更に、請求項４０に記載の発明のように、請求項３２〜３９の何れか一項に記載の発明において、
前記調整値を表す名称を付して前記記憶部に記憶する工程を更に含むことが好ましい。
【００４５】
更に、請求項４１に記載の発明のように、請求項４０に記載の発明において、
前記名称に基づいて前記調整値を読み出す工程と、
当該読み出された調整値に基づいて前記印刷部を制御する工程と、
を更に含むことが好ましい。
【００４６】
更に、請求項４２に記載の発明のように、請求項３２に記載の発明において、
表示手段を有し、
所定の記録媒体供給トレイに対し、現在設定されている調整値を表す名称を、当該記録媒体供給トレイに関連付けて前記表示手段に表示するよう制御する工程を更に含むことが好ましい。
【００４７】
更に、請求項４３に記載の発明のように、請求項４２に記載の発明において、
前記名称を前記表示手段の基本操作画面中に表示するよう制御する工程を更に含むことが好ましい。
【００４８】
更に、請求項４４に記載の発明のように、請求項３２に記載の発明において、
表示手段を有し、
前記調整値が前記記録媒体の種類又は前記記録媒体供給トレイと対応づけて前記記憶部に記憶されている場合に、前記調整値が記憶されていることを前記表示手段に表示させるよう制御する工程を更に含むことが好ましい。
【００４９】
更に、請求項４５に記載の発明のように、請求項３２に記載の発明において、
前記記憶部に、複数の前記調整値が前記記録媒体の種類又は前記記録媒体供給トレイと対応づけて記憶する工程を更に含むことが好ましい。
【００５０】
更に、請求項４６に記載の発明のように、請求項３２に記載の発明において、
前記記憶部に、前記印刷部における前記記録媒体への印刷のための調整標準値と、前記記録媒体供給トレイに対応づけられた前記調整値と、を記憶する工程と、
前記印刷部で印刷される記録媒体が収納された記録媒体供給トレイに応じて、前記記憶部から前記調整値を選択する工程と、
当該選択された調整値と前記調整標準値とに基づいて前記印刷部を制御する工程と、
を更に含むことが好ましい。
【００５１】
更に、請求項４７に記載の発明のように、請求項３２に記載の発明において、
前記記憶部に、前記印刷部における前記記録媒体への印刷のための調整標準値と、前記記録媒体供給トレイに対応づけられた前記調整値と、を記憶する工程と、
前記印刷部で印刷される記録媒体の種類に応じて、前記記憶部から前記調整値を選択する工程と、
当該選択された調整値と前記調整標準値とに基づいて前記印刷部を制御する工程と、
を更に含むことが好ましい。
【００５２】
更に、請求項４８に記載の発明のように、請求項４６又は４７に記載の発明において、
前記記憶部に、前記記録媒体の表裏毎に前記調整標準値を記憶する工程を更に含むことが好ましい。
【００５３】
更に、請求項４９に記載の発明のように、請求項４６〜４８の何れか一項に記載の発明において、
前記記憶部に、複数の調整標準値を含む調整標準値群を記憶する工程を更に含むことが好ましい。
【００５４】
更に、請求項５０に記載の発明のように、請求項３２〜４９の何れか一項に記載の発明において、
前記記憶部に、複数の調整値を含む調整値群を記憶する工程を更に含むことが好ましい。
【００５５】
更に、請求項５１に記載の発明のように、請求項４３に記載の発明において、
所定の記録媒体供給トレイに対し、現在設定されている調整値のうち少なくとも一つの調整値が変更されると、前記調整値の名称を前記表示手段に表示しないよう制御する工程を更に含むことが好ましい。
【００５６】
更に、請求項５２に記載の発明のように、請求項５０に記載の発明において、
入力された指示に応じて、前記記憶部に記憶されている前記調整値群を一括して消去する工程を更に含むことが好ましい。
【００５７】
更に、請求項５３に記載の発明のように、請求項３２〜５２の何れか一項に記載の発明において、
前記記憶部に、前記調整値を用いて印刷調整を行うか否かを示すフラグ情報を記憶する工程と、
前記フラグ情報に基づいて前記調整値を用いて印刷調整を行うか否かを決定する工程と、
を更に含むことが好ましい。
【００５８】
更に、請求項５４に記載の発明のように、請求項４６〜４９の何れか一項に記載の発明において、
前記調整標準値の入力中には、前記調整値を用いた印刷調整を行わないように制御する工程を更に含むことが好ましい。
【００５９】
また、上記課題を解決するため、請求項５５に記載の発明は、
印刷用の記録媒体を収納する複数の記録媒体供給トレイと、複数の調整標準値を含む調整標準値群と該調整標準値群の各印刷調整値を変更するための複数の調整値を含む調整値群とを前記記録媒体供給トレイに対応付けて記憶する記憶部と、を有し、前記調整標準値群及び調整値群に基づいて当該調整標準値群及び調整値群に対応付けされた記録媒体供給トレイから供給される記録媒体に対する印刷調整が該記録媒体の表裏毎に可能な画像形成装置を制御して画像形成を行うための画像形成方法であって、
前記調整値群を、該調整値群を表す名称を付して前記記憶部に記憶する工程と、
前記調整値群を前記名称に基づいて読み出す工程と、
を含むことを特徴とする。
【００６０】
更に、請求項５６に記載の発明のように、請求項５５に記載の発明において、
所定の記録媒体供給トレイに対して現在設定されている前記調整値群を表す名称を、当該調整値群が適用されている記録媒体供給トレイに関連付けて基本操作画面中に表示するよう制御する工程を更に含むことが好ましい。
【００６１】
更に、請求項５７に記載の発明のように、請求項５６に記載の発明において、
所定の記録媒体供給トレイに対し現在適用されている前記調整値群の各調整値のうち、少なくとも一つの調整値が変更されると、当該調整値群の名称を前記基本操作画面中に表示しないよう制御する工程を更に含むことが好ましい。
【００６２】
また、上記課題を解決するため、請求項５８に記載の発明は、
印刷用の記録媒体を収納する複数の記録媒体供給トレイと、複数の調整標準値を含む調整標準値群と該調整標準値群の各調整標準値を変更するための複数の調整値を含む調整値群とを前記記録媒体供給トレイに対応付けて記憶する記憶部と、を有し、前記記憶された調整標準値群及び調整値群に基づき、当該調整標準値群及び調整値群に対応付けされた記録媒体供給トレイから供給される記録媒体に対する印刷調整が該記録媒体の表裏毎に可能な画像形成装置を制御して画像形成を行うための画像形成方法であって、
所定の調整値群が前記複数の記録媒体供給トレイのうちの何れか一つに対応付けて前記記憶部に記憶されている場合には、この旨を示す情報を、当該記録媒体供給トレイに関連付けて、基本操作の指示入力を行う画面中に表示する工程を含むことを特徴とする。
【００６３】
更に、請求項５９に記載の発明のように、請求項５８に記載の発明において、
入力された指示に応じて、所定の調整値群に含まれる全調整値を前記記憶部から一括して消去する工程を更に含むことが好ましい。
【００６４】
更に、請求項６０に記載の発明のように、請求項５９に記載の発明において、
前記記憶部に、前記調整値群を用いて印刷調整を行うか否かを指示するためのフラグ情報を記憶する工程と、
前記フラグ情報に基づいて前記調整値群を用いて印刷調整を行う、又は行わないよう制御する工程と、
を更に含むことが好ましい。
【００６５】
更に、請求項６１に記載の発明のように、請求項５８〜６０の何れか一項に記載の発明において、
前記調整標準値群の入力中には、前記調整値群を用いた印刷調整を行わないよう制御する工程を更に含むことが好ましい。
【００６６】
更に、請求項６２に記載の発明のように、請求項３２〜６１の何れか一項に記載の発明において、
前記記憶部は、不揮発メモリであることが好ましい。
【００６７】
ここで、上記調整値は、記録媒体の表裏毎に設定され、倍率や印刷位置、定着温度等を指定するためのものである。調整値群とは、複数の調整値を含み、複数の印刷調整項目毎の調整値を有している。印刷調整項目としては、例えば、プリンタ先端タイミング調整（レジストローラＯＮタイミング）、プリンタレジストループ調整（給紙ローラＯＦＦタイミング）、プリンタ片寄り調整（主走査書出しタイミング）、プリンタ縦倍調整（転写ベルト速度）、プリンタ横倍調整（画素クロックの周波数）、定着温度、転写・分離電流値等が挙げられるが、これに限らず、種々設定可能である。例えば、５つの印刷調整項目が存在するような場合には、印刷用紙の表裏毎に各５項目ずつ調整値が設定されることが好ましく、その場合、調整値群は、印刷用紙の表裏合計１０項目の調整値を有することになる。
【００６８】
上記調整値は、制御値（例えば、倍率値）自体であってもよいし、以下に説明する調整標準値が設定されている場合には、調整標準値に対して変更を加える（加算や減算等）ための値であってもよい。なお、調整値は、細かな調整に対応できることから、ユーザにより入力されることが好ましい。また、調整値は、ユーザにより入力される場合の入力のし易さを考慮して、制御値自体よりも調整標準値に対して変更を加えるための値であることが好ましい。
【００６９】
調整標準値は、上記調整値と同様に、倍率や印刷位置、定着温度に関し、最も一般的な紙種に応じて設定される域値であり、サービスマンによって、或いは、出荷時にデフォルトで設定されることが好ましく、特に、設置環境をより考慮できる点で、サービスマンにより設置時等に設定されることが好ましい。
【００７０】
また、調整標準値は、記録媒体の表裏毎に設定されることが好ましい。また、調整標準値は、記録媒体供給トレイ毎に別々に設定されていることが好ましいが、全記録媒体供給トレイに共通に設定されていてもよい。調整標準値群とは、複数の調整標準値を含み、複数の印刷調整項目毎の調整標準値を有している。印刷調整項目としては、上記調整値と同様のものがあげられる。
【発明の効果】
【００７１】
請求項１、３２の発明によれば、記録媒体の種類又は記録媒体供給トレイと対応づけて記憶された両面印刷時の表裏毎の調整値に応じて、記録媒体の表裏毎に印刷調整を行う。このことにより、記録媒体の種類又は記録媒体供給トレイ毎にまとめて印刷調整することが可能であるため、プリント処理毎に調整値を入力することを抑制でき、印刷調整を効率的に行うことが可能であり、高品質な印刷画像を容易に得ることができる。
【００７２】
請求項２、３３の発明によれば、印刷調整をより効率的に行うことが可能であり、高品質な印刷画像を容易に得ることができる。
【００７３】
請求項３、３４の発明によれば、複数の記録媒体供給トレイのうち少なくとも１つと対応付けて調整値を記憶するので、調整値と対応付けられた記録媒体供給トレイを用いる際には、プリント処理毎に調整値を一から入力し直すことなく両面印刷時の印刷調整をすることが可能であるため、印刷倍率調整や印刷位置調整等の印刷調整を効率的に行うことが可能であり、高品質な印刷画像を容易に得ることができる。
【００７４】
請求項４、３５の発明によれば、調整値と記録媒体供給トレイとの対応付けを指示することが可能であるため、使用条件に応じて、記録媒体供給トレイ毎にまとめて印刷調整を行うことが可能である。そのため、印刷調整を効率的に行うことが可能である。
【００７５】
請求項５、３６の発明によれば、調整値を記録媒体の種類と対応付けて記憶するため、記録媒体の種類毎にまとめて印刷調整を行うことが可能である。そのため、印刷調整を効率的に行うことが可能である。
【００７６】
請求項６、３７の発明によれば、記録媒体の斤量に基づいて分類されているので、記録媒体の斤量毎にまとめて印刷調整を行うことが可能である。そのため、印刷調整を効率的に行うことが可能であるとともに、斤量に応じた最適な印刷調整が可能である。
【００７７】
請求項７、３８の発明によれば、記録媒体が光沢紙であるか否かに基づいて分類されているので、光沢紙或いは非光沢紙毎にまとめて印刷調整を行うことが可能である。そのため、印刷調整を効率的に行うことが可能である。
【００７８】
請求項８、３９の発明によれば、調整値と記録媒体の種類との対応付けを指示することが可能であるため、使用条件に応じて、記録媒体の種類毎にまとめて印刷調整を行うことが可能である。そのため、印刷調整を効率的に行うことが可能である。
【００７９】
請求項９、４０の発明によれば、調整値が名称を付して記憶されるので、当該名称によって調整値を管理することが可能である。
【００８０】
請求項１０、４１の発明によれば、調整値に付された名称に基づいて調整値を読み出し、
印刷調整を行うことが可能であるため、名称を指定するだけで記録媒体の種類又は記録媒体供給トレイに応じた調整値が容易且つ迅速に利用可能となるため、操作性の向上が図られる。これにより、簡単な操作で、調整値を用いた詳細な印刷調整が行えるので高品質な印刷画像を容易に得ることができる。
【００８１】
請求項１１、４２の発明によれば、所定の記録媒体供給トレイに対して現在設定されている調整値を表す名称を、該記録媒体トレイに対応付けて表示手段に表示するため、ユーザは記録媒体供給トレイに現在調整値が設定されているか否かを容易に確認することが可能となり、適切な調整値の設定又は指定が非常に行いやすくなる等、調整値の取り扱いが極めて容易になる。
【００８２】
請求項１２、４３の発明によれば、調整値を表す名称を、基本操作画面中に表示するため、ユーザは基本操作画面を確認することにより現在調整値が設定されているか否かを容易に把握することが可能となり、適切な調整値の設定又は指定が非常に行いやすくなる等、調整値の取り扱いが極めて容易になる。
【００８３】
請求項１３、４４の発明によれば、調整値が記録媒体の種類又は記録媒体供給トレイと対応付けて記憶部に記憶されている場合に、調整値が記憶されていることを表示手段に表示するため、ユーザは記録媒体の種類又は記録媒体供給トレイに対し調整値が設定されているか否かを容易に確認することが可能となり、適切な調整値の設定又は指定が非常に行いやすくなる等、調整値の取り扱いが極めて容易になる。
【００８４】
請求項１４、４５の発明によれば、複数の調整値を記録媒体の種類又は記録媒体供給トレイと対応付けて記憶する。このことにより、記録媒体の種類又は記録媒体供給トレイ毎にまとめて複数の調整値を設定することが可能であるため、印刷調整を効率的に行うことが可能であり、より高品質な印刷画像を容易に得ることができる。また、記録媒体の種類又は記録媒体供給トレイ毎に応じて、複数の調整値を使い分けて設定することが可能である。
【００８５】
請求項１５、４６の発明によれば、調整標準値と前記記録媒体供給トレイに対応づけられた調整値とを記憶し、印刷される記録媒体の種類に応じて、記憶された調整値を選択し、当該選択された調整値と調整標準値とに基づいて印刷調整を行う。このことにより、調整標準値に対する微調整を、調整値を用いて記録媒体供給トレイ毎にまとめて行うことが可能であるため、印刷調整をより効率的に行うことが可能であり、高品質な印刷画像を容易に得ることができる。
【００８６】
請求項１６、４７の発明によれば、調整標準値と前記記録媒の種類とに対応づけられた調整値とを記憶し、印刷される記録媒体の種類に応じて、記憶された調整値を選択し、当該選択された調整値と調整標準値とに基づいて印刷調整を行う。このことにより、調整標準値に対する微調整を、調整値を用いて記録媒体の種類毎にまとめて行うことが可能であるため、印刷調整をより効率的に行うことが可能であり、高品質な印刷画像を容易に得ることができる。
【００８７】
請求項１７、４８の発明によれば、記録媒体の表裏毎に調整標準値が記憶されている、このことにより、印刷を行う記録媒体の表裏毎に、調整標準値に基づいた印刷調整を行うことが可能である。
【００８８】
請求項１８、４９の発明によれば、複数の調整標準値を含む調整標準値群を記憶する。このことにより、記録媒体の種類又は記録媒体供給トレイ毎に調整値群単位でまとめて設定することが可能であるため、印刷調整を効率的に行うことが可能である。
【００８９】
請求項１９、５０の発明によれば、複数の調整値を含む調整値群を記憶する。このことにより、記録媒体の種類又は記録媒体供給トレイ毎に調整値群単位でまとめて設定することが可能であるため、印刷調整を効率的に行うことが可能である。
【００９０】
請求項２０、５１の発明によれば、記録媒体供給トレイに対し、現在設定されている調整値のうち少なくとも一つの調整値が変更されると、当該変更された調整値の名称を表示手段に表示しないよう制御する。このことにより、ユーザは調整値が変更されたことを容易に確認することが可能となり、適切な調整値の設定又は指定が非常に行いやすくなる等、調整値の取り扱いが極めて容易になる。
【００９１】
請求項２１、５２の発明によれば、入力された指示に応じて、記憶部に記憶された調整値群を一括して消去することが可能である。このことにより、記録媒体の種類又は記録媒体供給トレイ毎に設定された調整値群に含まれる全調整値を一括してクリア（消去）できるので、便利である。
【００９２】
請求項２２、５３の発明によれば、現在有効な調整値群を、消去せずに保持したまま無効にできるので、調整標準値群のみ用いるようなユーザに対しても、調整値群の入力／消去をいちいち行うことなく対応可能となる。
【００９３】
請求項２３、５４の発明によれば、調整標準値の入力中には、調整値を用いた印刷調整を行わないよう制御するため、例えば、サービスマンが調整標準値群を再入力するような場合においても、現在有効な調整値群をいちいち無効にしたり、記憶部から消去したりする必要がなく、調整値群が自動的に無効に設定されるので、当該調整値群を記憶したまま調整標準値群の再入力が行え、サービスマンの作業効率の向上を図ることができる。
【００９４】
請求項２４、５５の発明によれば、調整標準値群に対する調整値群が名称を付して記憶され、当該名称によって調整値群が管理されるので、名称を指定するだけで、種々の紙種に応じた複数の調整値群が容易且つ迅速に利用可能となり、操作性の向上が図られる。これにより、簡単な操作で、調整値を用いた詳細な印刷調整が行えるので高品質な印刷画像を容易に得ることができる。
更に、記録媒体供給トレイ毎に調整値群をまとめて設定することができるので、印刷調整を効率的に行うことが可能である。
更に、調整値群の読み出しは、それぞれの名称を指定することにより行われるので、このような名称に紙種等を示すものを用いれば、調整値群の内容がユーザにとって容易に確認可能となり、調整値群の指定が非常に行いやすくなる等、調整値群の取り扱いが極めて容易になる。
更に、プリント処理毎にいちいち印刷調整値を設定し直す必要がなくなり、印刷調整を頻繁に行うことにより生じ得る設定ミス等の不足の事態が回避可能になる。
更に、以前用いられていた種類の印刷用紙を再度用いるような場合には、当該紙種に対する印刷調整値を改めて設定する必要がなく、便利である。
【００９５】
請求項２５、５６の発明によれば、調整値群の名称が基本操作画面中に表示されるので、どの記録媒体供給トレイに対し現在どのような調整値群が設定されているのかが容易且つ迅速に確認することができる。
【００９６】
請求項２６、５７の発明によれば、現在設定されている調整値のうち少なくとも一つの調整値が変更されると、当該変更された調整値の名称を表示手段に表示しないよう制御する。このことにより、ユーザは調整値が変更されたことを容易に確認することが可能となり、適切な調整値の設定又は指定が非常に行いやすくなる等、調整値の取り扱いが極めて容易になる。
【００９７】
請求項２７、５８の発明によれば、記録媒体供給トレイ毎及び印刷用紙の表裏毎に、調整値群を入力することにより、調整標準値群に対する微調整が可能となるので、プリント処理毎に印刷調整値を一から入力し直すことなく様々な紙種に対して詳細な印刷調整が容易に行える。また、調整値群を用いた詳細な印刷調整が記録媒体供給トレイ毎にまとめて行えるので、印刷調整を効率的に行うことが可能であり、高品質な印刷画像を容易に得ることができる。
更に、記録媒体供給トレイ毎に調整値群が現在設定されているか否かが、基本操作の指示入力を行う基本操作画面から容易に確認できるので、その調整値群をクリアして新たに入力するか、或いは、その調整値群を用いるのかの判断が、記録媒体供給トレイ毎に容易且つ迅速に行える。これにより、使用する紙種が多い場合であっても、誤って別の紙種用に設定された調整値（例えば、直前のプリント処理で使用された印刷用紙の紙種に対する調整値）が用いられる等の事態が回避可能となる。
【００９８】
請求項２８、５９の発明によれば、記録媒体供給トレイ毎に、現在有効な調整値群に含まれる全印刷調整項目の各調整値を一括してクリア（消去）できるので便利であり、また、調整標準値群が消去されずに保持されるので、サービスマンが調整標準値群を入力し直さなければならない、といった事態が回避可能となる。
【００９９】
請求項２９、６０の発明によれば、現在有効な調整値群を、消去せずに保持したまま無効にできるので、調整標準値群のみ用いるようなユーザに対しても、調整値群の入力／消去をいちいち行うことなく対応可能となる。
【０１００】
請求項３０、６１の発明によれば、サービスマンが印刷調整標準値群を再入力するような場合においても、現在有効な調整値群をいちいち無効にしたり、記憶部から消去したりする必要がなく、調整値群が自動的に無効に設定されるので、当該調整値群を保持したまま調整標準値群の再入力が行え、サービスマンの作業効率の向上が図れる。また、この再入力された調整標準値群に対し、記憶部に既に記憶されている調整値が適用されることとなる等、調整標準値群と調整値群とが各々独立に調整（入力）できるので、高い調整機能を有することとなる。
【０１０１】
請求項３１、６２の発明によれば、記憶部は、不揮発メモリであるため、電源を落としたとしても記憶内容を保持することができるので、効率のよい印刷調整が可能となる。
【発明を実施するための最良の形態】
【０１０２】
以下、図面を参照して本発明を適用した一実施の形態について詳細に説明する。
まず、図１を参照して、画像形成装置１００の印刷処理に係る構成について説明する。
【０１０３】
画像形成装置１００は、印刷部としての画像形成装置本体１０１と、画像形成装置本体１０１の上部に画像読取装置１０２とを備える。画像読取装置１０２は、自動原稿給紙装置２０１と原稿画像走査露光装置２０２とを備える。
【０１０４】
自動原稿給紙装置２０１の原稿台に載置された原稿ｄは搬送手段により搬送され、原稿画像走査露光装置２０２の光学系により原稿の片面又は両面の画像が走査露光され、原稿画像を反映する入射光がラインイメージセンサＣＣＤに読み込まれる。
【０１０５】
上記ラインイメージセンサＣＣＤにより光電変換されたアナログ画像信号は、画像処理手段７０（図２参照）において、アナログ処理、Ａ／Ｄ変換、シェーディング補正及び画像圧縮処理等がなされ、デジタルの画像情報となる。このデジタルの画像情報は画像書込みユニット３Ｙ、３Ｍ、３Ｃ、３Ｋへ出力される。
【０１０６】
自動原稿給紙装置２０１は自動両面原稿搬送手段（図示略）を備える。自動原稿給紙装置２０１は、原稿載置台から搬送される多数枚の原稿ｄの内容（両面を含む）を連続して一挙に読み取り、原稿内容を記憶手段に蓄積する（電子ＲＤＨ機能）。この電子ＲＤＨ機能は、複写機能により多数枚の原稿内容を複写する場合、或いはファクシミリ機能により多数枚の原稿ｄを送信する場合等に利用される。
【０１０７】
画像形成装置本体１０１は、複数の感光体ドラム１Ｙ、１Ｍ、１Ｃ、１Ｋが縦列に配置されたタンデム型の画像形成装置であり、感光体ドラム１Ｙ、１Ｍ、１Ｃ、１Ｋの各々は各色（イエロー（Ｙ）色、マゼンタ（Ｍ）色、シアン（Ｃ）色、黒（ＢＫ）色）毎に画像形成ユニット１０Ｙ、１０Ｍ、１０Ｃ、１０Ｋに設けられている。更に、画像形成装置本体１０１は、中間転写体６と、再給紙機構（ＡＤＵ機構）を含む給紙搬送手段（図示略）と、トナー像を定着させるための定着装置１７とを備える。
【０１０８】
Ｙ色の画像を形成する画像形成ユニット１０Ｙは、Ｙ色のトナー像を形成する感光体ドラム１Ｙと、感光体ドラム１Ｙの周囲に配置されたＹ色用の帯電手段２Ｙ、画像書込みユニット３Ｙ、現像装置４Ｙ及び感光体ドラム用クリーニング手段８Ｙとを有する。
【０１０９】
Ｍ色の画像を形成する画像形成ユニット１０Ｍは、Ｍ色のトナー像を形成する感光体ドラム１Ｍと、感光体ドラム１Ｍの周囲に配置されたＭ色用の帯電手段２Ｍ、画像書込みユニット３Ｍ、現像装置４Ｍ及び感光体ドラム用クリーニング手段８Ｍとを有する。
【０１１０】
Ｃ色の画像を形成する画像形成ユニット１０Ｃは、Ｃ色のトナー像を形成する感光体ドラム１Ｃと、感光体ドラム１Ｃの周囲に配置されたＣ色用の帯電手段２Ｃ、画像書込みユニット３Ｃ、現像装置４Ｃ及び感光体ドラム用クリーニング手段８Ｃとを有する。
【０１１１】
ＢＫ色の画像を形成する画像形成ユニット１０Ｋは、ＢＫ色のトナー像を形成する感光体ドラム１Ｋ、感光体ドラム１Ｋの周囲に配置されたＢＫ色用の帯電手段２Ｋ、画像書込みユニット３Ｋ、現像装置４Ｋ及び感光体ドラム用クリーニング手段８Ｋとを有する。
【０１１２】
帯電手段２Ｙ及び画像書込みユニット３Ｙと、帯電手段２Ｍ及び画像書込みユニット３Ｍと、帯電手段２Ｃ及び画像書込みユニット３Ｃと、帯電手段２Ｋ及び画像書込みユニット３Ｋとは、それぞれ、感光体ドラム１Ｙ、１Ｍ、１Ｃ、１Ｋに色毎の潜像を形成する。
【０１１３】
画像書込みユニット３Ｙ、３Ｍ、３Ｃ、３Ｋの各々は、制御手段１５から出力されるスキュー調整信号ＳＳｙ、ＳＳｍ、ＳＳｃの各々に基づいてスキュー調整を行う（図４参照）。また、画像書込みユニット３Ｙ、３Ｍ、３Ｃ、３Ｋの各々は、制御手段１５から出力されるＹ色用の書込みデータＷｙ、Ｍ色用の書込みデータＷｍ、Ｃ色用の書込みデータＷｃ、ＢＫ色用の書込みデータＷｋの各々に基づいてＹ色、Ｍ色、Ｃ色、ＢＫ色のトナー画像を中間転写体６に形成する。
【０１１４】
現像装置４Ｙ、４Ｍ、４Ｃ、４Ｋによる現像は、使用するトナー極性と同極性（本実施例においては、負極性）の直流電圧に交流電圧を重畳した現像バイアスを用いた反転現像に基づくものである。
【０１１５】
中間転写体６は、ベルトが回転動作可能に保持され、感光体ドラム１Ｙ、１Ｍ、１Ｃ、１Ｋの各々に形成されたＹ色、Ｍ色、Ｃ色、Ｋ色の各トナー像は中間転写体６の当該ベルト表面に転写される。
【０１１６】
中間転写体用クリーニング手段８Ａの上流側であって、中間転写体６の左右両側には、レジストセンサ１２が設けられている。レジストセンサ１２は、後述する色ずれ補正の際に、画像形成ユニット１０Ｙ、１０Ｍ、１０Ｃ、１０Ｋによって中間転写体６に形成された色ずれ補正用の基準色（本実施の形態においては、ＢＫ色）を含む各色の画像（以下、レジストマークＣＲという）の位置を検出して位置検出信号Ｓ２を制御手段１５に出力する。
【０１１７】
ここで、上記した画像形成装置１００による画像形成プロセスの概要について述べる。
画像形成ユニット１０Ｙ、１０Ｍ、１０Ｃ、１０Ｋにより形成された各色の画像は、使用するトナーと反対極性（本実施例においては、正極性）の１次転写バイアスが印加される１次転写ローラ７Ｙ、７Ｍ、７Ｃ、７Ｋにより、回転動作する中間転写体６のベルト表面に逐次転写されて（１次転写）、合成されたカラー画像（色画像：カラートナー像）が形成される。カラー画像は中間転写体６から印刷用紙Ｐへ転写される。
【０１１８】
給紙カセット２０Ａ、２０Ｂ、２０Ｃ内に収容された印刷用紙Ｐは、給紙カセット２０Ａ、２０Ｂ、２０Ｃにそれぞれ設けられている送り出しローラ２１及び給紙ローラ２２Ａにより給紙され、搬送ローラ２２Ｂ、２２Ｃ、２２Ｄ、レジストローラ２３等を経て、２次転写ローラ７Ａに搬送され、印刷用紙Ｐの一方の面（表面又は裏面）にカラー画像が転写される（２次転写）。
【０１１９】
ここで、各給紙カセット２０Ａ、２０Ｂ、２０Ｃは、引き出し／押し戻し自在な記録媒体供給トレイＴ１、Ｔ２、Ｔ３の各々にセットされている。操作者は、この記録媒体供給トレイＴ１等を機器本体から引き出して給紙カセット２０Ａ等に印刷用紙Ｐを補充し、その後、引き出した記録媒体供給トレイＴ１等を機器本体に押し戻す。
【０１２０】
また、各給紙カセット２０Ａ、２０Ｂ、２０Ｃの各々には、それそれ、同一の紙種（材質、斤量、サイズ、厚み、コート／非コート等）の印刷用紙Ｐが収納されているものとする。
【０１２１】
カラー画像が転写された印刷用紙Ｐは、定着装置１７により定着処理され、排紙ローラ２４により挟持されて機外の排紙記録媒体供給トレイ２５に載置される。転写後の感光体ドラム１Ｙ、１Ｍ、１Ｃ、１Ｋの周面上に残る転写残トナーは、感光体ドラム用クリーニング手段８Ｙ、８Ｍ、８Ｃ、８Ｋによりクリーニングされ次の画像形成サイクルに移行する。
【０１２２】
両面画像形成時には、印刷用紙Ｐの一方の面（表面）に画像形成され、定着装置１７から排出された印刷用紙Ｐは、分岐手段２６によりシート排紙路から分岐され、下方の循環通紙路２７Ａを経て、再給紙機構（ＡＤＵ機構）である反転搬送路２７Ｂにより表裏が反転され、再給紙搬送部２７Ｃを通貨して、搬送ローラ２２Ｄにおいて合流する。
【０１２３】
反転搬送された印刷用紙Ｐは、レジストローラ２３を経て再度２次転写ローラ７Ａに搬送され、印刷用紙Ｐの他方の面（裏面）にカラー画像（カラートナー像）が転写される。カラー画像が転写された印刷用紙Ｐは、定着装置１７により定着処理され、排紙ローラ２４に挟持されて機外の排紙記録媒体供給トレイ２５に載置される。一方、２次転写ローラ７Ａにより印刷用紙Ｐにカラー画像が転写された後、印刷用紙Ｐが分離された中間転写体６は、中間転写体用クリーニング手段８Ａにより残留トナーが除去される。
【０１２４】
次に、図２〜図４を参照して画像形成装置１００のデータ処理に係る構成について説明する。
【０１２５】
図２に示すように、画像形成装置１００は、上述した図１に示す印刷処理に係る各構成部の他に、補正手段５Ｙ、５Ｍ、５Ｃ、５Ｋ、レジストセンサ１２、不揮発メモリ１４、制御手段１５、操作手段１６、表示手段１８、レーザインデックスセンサ４９、画像処理手段７０等を備える。
【０１２６】
補正手段５Ｙ、５Ｍ、５Ｃは、制御手段１５から出力された位置補正信号Ｓｙ、Ｓｍ、Ｓｃに応じて、画像書込みユニット３Ｙ、３Ｍ、３Ｃの水平方向の傾きをそれぞれ調整する。
【０１２７】
レジストセンサ１２は、ＣＣＤセンサや反射型のフォトセンサ等であり（何れも図示略）、後述する自動色ずれ補正モードの際に、中間転写体６に形成された色ずれ補正用のレジストマークＣＲ（トナー像）の通過タイミングを検出し、当該検出結果を位置検出信号Ｓ２として制御手段１５に出力する。
【０１２８】
記憶部としての不揮発メモリ１４は、制御手段１５により実行される各種プログラム実行時に生成させる各種データを格納する。特に、不揮発メモリ１４には、調整標準値群としての印刷調整標準値群や、印刷調整名に関連付けられた調整値群としての印刷調整オフセット値群や、記録媒体供給トレイＴ１〜Ｔ３毎に現在設定されている調整値群としての印刷調整オフセット値群（若しくは、対応する印刷調整名）等が記憶されている。
【０１２９】
図３に、不揮発メモリ１４に記憶された印刷調整標準値群の一例を表形式で示す。ここでは、「普通紙」、「再生紙」、「コート紙」の三種類の紙種において、調整標準値として紙斤量から求まる印刷時の定着温度を印刷用紙の表裏毎に示している。
【０１３０】
例えば、紙種が「普通紙」で且つ、紙斤量が「１〜５０ｇ／ｍ2」の範囲に該当する印刷用紙では、表面の定着温度が２００℃、裏面の定着温度が２００℃と設定されている。また、同様に、紙種が「再生紙」で且つ、紙斤量が「１０１〜１５０ｇ／ｍ2」の範囲に該当する印刷用紙では、表面の定着温度が１９５℃、裏面の定着温度が１９０℃と設定されている。
【０１３１】
上記印刷調整標準値群による印刷調整値を微調整等変更するような場合や、印刷調整標準値群による印刷調整値では対応することができないような場合には、印刷調整標準値群が有する各調整標準値に対し、印刷調整オフセット値群を用いて印刷調整値を変更することにより、印刷調整標準値群のみでは対応しきれなかった紙種に対しても、最適な印刷調整が可能となり、紙種によらず高品質な画像印刷（両面印刷を含む）を容易に行うことができる。
【０１３２】
なお、印刷調整項目は、上気した印刷時の定着温度に限らず、種々設定可能であるものとする。例えば、プリンタ先端タイミング調整（レジストローラＯＮタイミング）、プリンタレジストループ調整（給紙ローラＯＦＦタイミング）、プリンタ片寄り調整（主走査書出しタイミング）、プリンタ縦倍調整（転写ベルト速度）、プリンタ横倍調整（画素クロックの周波数）、転写・分離電流値等であってもよい。
【０１３３】
制御部としての制御手段１５は、内蔵メモリに格納された各種プログラムを実行することにより（或いはハードウェアにより）画像形成装置１００を統括的に制御する。
【０１３４】
制御手段１５は、画像形成ユニット１０Ｙ、１０Ｍ、１０Ｃ、１０Ｋを制御して、画像処理手段７０から出力されるＹ色用の書込みデータＷｙ、Ｍ色用の書込みデータＷｍ、Ｃ色用の書込みデータＷｃ、ＢＫ色用の書込みデータＷｋに基づき、Ｙ色、Ｍ色、Ｃ色、ＢＫ色のトナー画像を中間転写体６に形成させる。
【０１３５】
制御手段１５は、画像処理制御信号Ｓ４を画像処理回路７１に出力して、画像処理回路７１の動作を制御する。
【０１３６】
制御手段１５は、書込選択信号Ｓ５を、Ｙ−信号切換部７２Ｙ、Ｍ−信号切換部７２Ｍ、Ｃ−信号切換部７２Ｃ、Ｋ−信号切換部７２Ｋの各々に出力して制御する。
【０１３７】
制御手段１５は、位置補正信号Ｓｙ、Ｓｍ、Ｓｃの各々を補正手段５Ｙ、５Ｍ、５Ｃにそれぞれ出力し、画像書込みユニット３Ｙ、３Ｍ、３Ｃの各水平方向の傾きをそれぞれ調整させる。
【０１３８】
制御手段１５は、スキュー調整信号ＳＳｙ、ＳＳｍ、ＳＳｃの各々を画像書込みユニット３Ｙ、３Ｍ、３Ｃにそれぞれ出力し、画像書込みユニット３Ｙ、３Ｍ、３Ｃのスキュー調整を行う。
【０１３９】
制御手段１５は、レーザインデックスセンサ４９から入力される各色毎のＩＮＤＥＸ信号に基づいて、印刷用データの出力開始タイミングを生成する。
【０１４０】
ここで、出力開始タイミングとは、Ｙ−信号切換部７２Ｙ、Ｍ−信号切換部７２Ｍ、Ｃ−信号切換部７２Ｃ、Ｋ−信号切換部７２Ｋが、それぞれ、画像書込みユニット３Ｙ、３Ｍ、３Ｃ、３Ｋの各々に書込みデータＷｙ、Ｗｍ、Ｗｃ、Ｗｋを出力する際のタイミングである。
【０１４１】
制御手段１５は、印刷倍率（例えば、両面印刷時の裏面に対する印刷倍率）の変更指示が操作手段１６を介して入力されると、当該変更された印刷倍率と倍率補正用ＬＵＴ（Look Up Table）とに基づいてプロセス速度又はポリゴンミラー３４の回転速度を設定して当該変更された印刷倍率に基づいた印刷を行う。
【０１４２】
ここで倍率補正用ＬＵＴとは、印刷倍率と、プロセス速度又はポリゴンミラー３４の回転速度との対応関係を示すデータであり、不揮発メモリ１４に予め格納されている。
【０１４３】
制御手段１５は、機器固有の印刷調整標準値群に基づいてプロセス速度やポリゴンミラー３４の回転速度、更に、印刷データの出力タイミングを記録媒体供給トレイＴ１〜Ｔ３毎に制御する。
【０１４４】
制御手段１５は、操作手段１６を介して、印刷調整オフセット値群が記録媒体供給トレイＴ１〜Ｔ３毎及び印刷用紙の表裏毎に入力されると、当該印刷調整オフセット値群（若しくは、印刷調整オフセット値群を表す印刷調整名）を、記録媒体供給トレイＴ１〜Ｔ３毎に不揮発メモリ１４に記憶する。
【０１４５】
印刷調整オフセット値群の入力画面を図５に示す。図５に示す入力画面は、図６又は図１３に示す基本操作画面中の図中符号Ｃｈ１に示す入力ボタン（操作手段１６のタッチパネルによる入力）がタッチ（押下）されることにより表示される画面である。ここで、基本操作画面とは、印刷用紙又は記録媒体供給トレイを設定するための画面をいう。図５には、記録媒体供給トレイＴ１（図中符号Ｃｈ２に示す「トレイ１」の表示個所を参照）の表（おもて）面（図中符号Ｃｈ３に示す「Ｓｉｄｅ１」の表示個所を参照）に対する印刷調整オフセット値群（ここでは、「プリンタ先端タイミング」、「プリンタレジストループ」、「プリンタ片寄り」、「プリンタ縦倍」、「プリンタ横倍」の５項目の調整値）の入力画面が表示されている。ここで、図５において、記録媒体供給トレイＴ１は「トレイ１」と表示され、記録媒体供給トレイＴ２は「トレイ２」と表示され、記録媒体供給トレイＴ３は「トレイ３」と表示されている。
【０１４６】
記録媒体供給トレイＴ１に対し、ユーザにより、印刷用紙の表裏毎に印刷調整オフセット値群が図中符号Ｃｈ９に示す各欄（五つの欄）に入力された後、図中符号Ｃｈ５に示す「ＯＫ」ボタンがタッチされると、当該入力された印刷調整オフセット値群が制御手段１５により不揮発メモリ１４に記憶され、図６又は図１３に示す基本操作画面に戻る。これにより、記録媒体供給トレイＴ１〜Ｔ３毎及び印刷用紙の表裏毎の印刷調整オフセット値群の登録が完了する。
【０１４７】
ここで、本実施形態においては、ユーザから入力される印刷調整オフセット値は、図３で示したような印刷調整標準値群が有する調整項目毎の印刷標準調整値の調整を指示するような値であって、その指示形態は特に限定されないものとする。例えば、印刷標準調整値に対し「＋５」、「−５」のように所定の値の加算、減算を指示するものであってもよいし、印刷標準調整値が「９５％（パーセント）」の値となるような所定の割合を指示する値であってもよい。
【０１４８】
また、図中符号Ｃｈ７に示す「リセット」ボタンがタッチされると、記録媒体供給トレイＴ１〜Ｔ３のうち現在設定中の何れか一の記録媒体供給トレイ及び印刷用紙の表裏に対する全印刷調整オフセット値群が制御手段１５により一括してクリア（すなわち、印刷調整オフセット値がゼロに）される。この場合、制御手段１５により不揮発メモリ１４に記憶された印刷調整オフセット値群が、一括消去され、当該記録媒体供給トレイに対しては印刷調整標準値群のみが有効となる。
【０１４９】
また、図中符号Ｃｈ８に示す「ＯＮ／ＯＦＦ」ボタンが一度タッチされると、記録媒体供給トレイＴ１〜Ｔ３のうち現在設定中の何れか一の記録媒体供給トレイに対しては印刷調整オフセット値群を用いずに印刷調整標準値群を用いる旨のフラグ（以下、ＯＮフラグという）が、制御手段１５により不揮発メモリ１４に記憶され、「ＯＮ／ＯＦＦ」ボタンが更にもう一度タッチされると、当該記録媒体供給トレイに対しては印刷調整オフセット値群を用いる旨のフラグ（以下、ＯＦＦフラグという）が制御手段１５により不揮発メモリ１４に記憶される。制御手段１５は、このフラグを参照して、印刷調整標準値群を用いるのか、或いは印刷調整オフセット値群を用いるのかを記録媒体供給トレイＴ１〜Ｔ３毎に判断する。
【０１５０】
また、サービスマンが印刷調整標準値群の入力を行うためのモード（以下、サービスモードという）が設定されている場合には、印刷調整オフセット値群が既に登録されていても、制御手段１５は、この印刷調整オフセット値群を用いない。すなわち、この場合、制御手段１５は、上記ＯＦＦフラグを不揮発メモリ１４に記憶する。
【０１５１】
制御手段１５は、予め内蔵メモリに格納されているプログラムを実行することにより、図９〜図１１及び図１２の各フローチャートに示す処理を行う。
【０１５２】
指示手段としての操作手段１６は、キーボードや、マウス、タッチパネル（表示手段１８のＬＣＤ（Liquid Crystal Display）に貼付けられている）等のポインティングデバイスを備え、各種入力信号を制御手段１５に出力する。
【０１５３】
表示手段１８は、ＬＣＤ等の表示装置を備え、制御手段１５から入力される各種表示データを表示する。特に、図５〜図８及び図１３に示す各画面を表示する。
【０１５４】
レーザインデックスセンサ４９は、画像書込みユニット３Ｙ、３Ｍ、３Ｃ、３Ｋの各々から照射されるビーム光を検知して、ＩＮＤＥＸ信号を制御手段１５に出力する。
【０１５５】
画像処理手段７０は、画像処理回路７１、Ｙ−信号切換部７２Ｙ、Ｍ−信号切換部７２Ｍ、Ｃ−信号切換部７２Ｃ、Ｋ−信号切換部７２Ｋを備える。
【０１５６】
画像処理回路７１は、画像処理制御信号Ｓ４に基づき、画像読取装置１０２により読み取られたカラー画像のＲ、Ｇ、Ｂ色成分に係るＲ、Ｇ、Ｂ信号を色変換し、画像データＤｙ、Ｄｍ、Ｄｃ、Ｄｋの各々を、Ｙ−信号切換部７２Ｙ、Ｍ−信号切換部７２Ｍ、Ｃ−信号切換部７２Ｃ、Ｋ−信号切換部７２Ｋに出力する。
【０１５７】
画像処理回路７１は、プリンタ等の外部機器から入力されるＹ、Ｍ、Ｃ、Ｋ信号に対しては、画像処理制御信号Ｓ４に基づいて各信号をスクリーン処理した後の画像データＤｙ'、画像データＤｍ'、画像データＤｃ'、画像データＤｋ'のそれぞれを、Ｙ−信号切換部７２Ｙ、Ｍ−信号切換部７２Ｍ、Ｃ−信号切換部７２Ｃ、Ｋ−信号切換部７２Ｋに出力する。
【０１５８】
Ｙ−信号切換部７２Ｙ、７２Ｍ、７２Ｃ、７２Ｋは、それぞれ、書込選択信号Ｓ５に基づき、画像データＤｙ又は画像データＤｙ'の何れか一方、画像データＤｍ又は画像データＤｍ'の何れか一方、画像データＤｃ又は画像データＤｃ'の何れか一方、画像データＤｋ又は画像データＤｋ'の何れか一方を各々選択して画像書込みユニット３Ｙに出力する。
【０１５９】
次に、図４を参照して、画像書込みユニット３Ｙの構成について説明する。なお、ここでの説明は、Ｙ色以外の他の色（Ｍ色、Ｃ色、ＢＫ色）用の画像書込みユニット３Ｍ、３Ｃ、３Ｋ等に対しても全く同様である。
【０１６０】
図４に示すように、画像書込みユニット３Ｙは、半導体レーザ光源３１、コリメータレンズ３２、補助レンズ３３、ポリゴンミラー３４、ポリゴンモータ３５、ｆ(θ)レンズ３６、ミラー面結像用ＣＹ１レンズ３７、ドラム面結像用ＣＹ２レンズ３８、反射板３９、ポリゴンモータ駆動基板４５、ＬＤ（Laser Diode）駆動基板４６等を備える。
【０１６１】
ＬＤ駆動基板４６は、書込みデータＷｙをＰＷＭ（Pulse Width Modulation）変調し、ＰＷＭ変調後の所定パルス幅のレーザ駆動信号ＳＬｙを半導体レーザ光源３１に出力する。
【０１６２】
半導体レーザ光源３１は、レーザ駆動信号ＳＬｙに基づき、Ｙ色用のレーザ光をコリメータレンズ３２に向けて出力する。半導体レーザ光源３１から出力されるＹ色用のレーザ光は、コリメータレンズ３２、補助レンズ３３、ミラー面結像用ＣＹ１レンズ３７により所定のビーム光に整形される。
【０１６３】
ポリゴンミラー３４は、コリメータレンズ３２等により整形された後のレーザ光を主走査方向に偏向する。ポリゴンモータ駆動基板４５は、制御手段１５から出力されるＹポリゴンＣＬＫに基づいてポリゴンミラー３４を回転駆動するための駆動信号をポリゴンモータ３５に出力し、ポリゴンモータ３５は、ポリゴンモータ駆動基板４５から入力される当該駆動信号に基づいてポリゴンミラー３４を回転駆動する。
【０１６４】
ｆ(θ)レンズ３６及びドラム面結像用ＣＹ２レンズ３８は、ポリゴンミラー３４によって偏向されるビーム光を感光体ドラム１Ｙ表面に結像させる。これにより、感光体ドラム１Ｙ表面に静電潜像が形成される。
【０１６５】
スキュー調整手段９Ｙは、調整ギヤユニット４１と、調整ギヤユニット４１を駆動する調整用モータ４２とを備え、調整ギヤユニット４１にはドラム面結像用ＣＹ２レンズ３８が連結されている。調整用モータ４２は、スキュー調整信号ＳＳｙに応じて調整ギヤユニット４１を駆動し、調整ギヤユニット４１に連結されたドラム面結像用ＣＹ２レンズ３８の垂直方向の傾きを調整する。これにより、スキュー調整が行われる。
【０１６６】
また、ポリゴンミラー３４から反射されたビーム光の一部が、反射板３９に反射されてレーザインデックスセンサ４９に入射した場合、レーザインデックスセンサ４９はＩＮＤＥＸ信号を制御手段１５に出力する。
【０１６７】
次に、画像形成装置１００の動作を実施例１及び実施例２に分けて説明する。
【０１６８】
＜実施例１＞
まず、図５〜図１１を参照して本実施例１の画像形成装置１００の動作を説明する。本実施例１では、印刷調整オフセット値群を、該印刷調整オフセット値群を表す名称を付して不揮発メモリ１４に記憶することにより、該印刷調整オフセット値群の管理を行う場合の動作を示す。
【０１６９】
なお、本実施例１の前提として、記録媒体供給トレイＴ１〜Ｔ３毎及び印刷用紙の表裏毎に印刷調整オフセット値群が予め設定（登録）されているものとし、その登録形態は、印刷調整オフセット値群に対し、当該印刷調整オフセット値群に対応する印刷調整名が付された形態で登録されているものとする。
【０１７０】
図５の符号Ｃｈ２に示す「トレイ１」ボタンがタッチされて記録媒体供給トレイＴ１が選択された際に、図中符号Ｃｈ１０に示す「呼出／削除」ボタンがタッチされると、不揮発メモリ１４に既に記憶されている印刷調整オフセット値群（印刷調整名により表される）の一覧を示す印刷調整名一覧が図７に示すように制御手段１５により表示手段１８に表示される（ステップＳ１を参照）。
【０１７１】
ここで、図７に示す印刷調整名一覧には、「コニカコートＡ３」、「ミノルタ非コートＢ４」、「特別紙Ａ４」の三種類の印刷調整名（すなわち、印刷調整オフセット値群を表す名称）が表示されている。
【０１７２】
この後、何れかの印刷調整名（例えば、「コニカコートＡ３」）の表示個所がタッチされると（ステップＳ２；Ｙｅｓを参照）、当該表示個所が反転表示され、更に、このような表示状態の元で、図中符号Ｃｈ１２に示す「読み出し」ボタンがタッチされると、当該反転表示された印刷調整名によって表される印刷調整オフセット値が不揮発メモリ１４から制御手段１５により読み出される（ステップＳ３）。この際、当該読み出された印刷調整オフセット値群の各調整項目毎のオフセット値は、制御手段１５により図中符号Ｃｈ９に示す各欄に自動的に表示される（ステップＳ４）。
【０１７３】
この状態で図中符号Ｃｈ５に示す「ＯＫ」ボタンがタッチされると、当該印刷調整名「コニカコートＡ３」が、図６に示す基本操作画面中に、例えば図中符号Ｃｈ６に示すように制御手段１５により表示され、当該印刷調整オフセット値群が記録媒体供給トレイＴ１に対する印刷調整オフセット値群として不揮発メモリ１４に記憶され、そして、記録媒体供給トレイＴ１に対する印刷調整オフセット値群の設定（登録）が終了する。
【０１７４】
更に、上記印刷調整オフセット値群の読み出し後（ステップＳ１０）、図中符号Ｃｈ９に表示される各オフセット値（印刷調整オフセット値群の各印刷調整項目に対するオフセット値であり、印刷用紙の表裏毎に表示される）のうち少なくとも一つのオフセット値に変更が加えられると（ステップＳ１１；Ｙｅｓ）、図６に示す基本操作画面に対し当該印刷調整名「コニカコートＡ３」の表示が消去される（この場合、図中符号Ｃｈ６に示す「Ａｄｊ  コニカコートＡ３」のうち、印刷調整名を表す「コニカコートＡ３」が消去され、「Ａｄｊ」のみの表示に切り替わる）（ステップＳ１２）。
【０１７５】
このような表示状態の元で、図中符号Ｃｈ１１に示す「登録」ボタンがタッチされると（ステップＳ２０）、図８に示す印刷調整名入力画面が制御手段１５により表示され（ステップＳ２１）、当該変更後の印刷調整オフセット値群に対する印刷調整名の入力待ちとなる。
【０１７６】
ここで、印刷調整名（例えば、再び「コニカコートＡ３」とする）が図８に示す印刷調整名入力画面を介して入力され、図中符号Ｃｈ１３に示す「ＯＫ」ボタンがタッチされると（ステップＳ２２；Ｙｅｓ）、当該変更後の印刷調整オフセット値群が当該入力された印刷調整名に関連付けられて制御手段１５により不揮発メモリ１４に記憶（登録）される（ステップＳ２３）。この際、図６に示す基本操作画面中に当該印刷調整名「コニカコートＡ３」が表示される。例えば、図６には、図中符号Ｃｈ６に示す表示個所に、記録媒体供給トレイＴ１に対して設定された印刷調整名を表す「コニカコートＡ３」が表示される。
【０１７７】
従って、印刷調整標準値群に対する印刷調整オフセット値群が名称を付して記憶され、当該名称によって印刷調整オフセット値群が管理（読み出しや記憶等）されるので、名称を指定するだけで種々の紙種に応じた複数の印刷調整オフセット値群が容易且つ迅速に利用可能となり、操作性の向上が図られる。これにより、簡単な操作で、印刷調整オフセット値を用いた詳細な印刷調整が行えるので高品質な印刷画像が容易に得られる。
更に、記録媒体供給トレイ毎に印刷調整オフセット値群がまとめて設定されるので各種印刷調整を効率的に行うことが可能である。
更に、印刷調整オフセット値群の読み出しは、それぞれの名称を指定することにより行われるので、このような名称に紙種等を示すものを用いれば、印刷調整オフセット値群の内容がユーザにとって容易に確認可能となり、印刷調整オフセット値群の指定が非常に行い易くなる等、印刷調整オフセット値群の取り扱いが極めて容易になる。
更に、この印刷調整オフセット値群の名称が基本操作画面中に表示されるので、どの記録媒体供給トレイに対し現在どのような印刷調整オフセット値群が設定されているのかが容易且つ迅速に確認できる。
更に、プリント処理毎にいちいち印刷調整値を設定し直す必要がなくなり、印刷調整を頻繁に行うことにより生じ得る設定ミス等の不測の事態が回避可能となる。
更に、以前用いられた種類の印刷用紙を再度用いるような場合には、当該紙種に対する印刷調整値を改めて設定する必要がなく、便利である。
【０１７８】
＜実施例２＞
次に、図１２及び図１３を参照して本実施例２の画像形成装置１００の動作を説明する。本実施例２では、記録媒体供給トレイＴ１〜Ｔ３毎及び印刷用紙の表裏毎に対して対応付けて記憶された印刷調整標準値を保持したまま（消去することなく）、印刷調整オフセット値群を入力する際の動作を示す。
【０１７９】
本実施例２の前提として、記録媒体供給トレイＴ１〜Ｔ３毎及び印刷用紙の表裏毎に印刷調整オフセット値群が予め登録されているものとする。なお、印刷調整オフセット値群の登録形態は、特に問わず、実施例１で示したように印刷調整オフセット値群に対し、当該印刷調整オフセット値群を表す名称が付された形態で登録されていてもよいし、他の形態で登録されていてもよいものとする。
【０１８０】
まず、制御手段１５により、使用する記録媒体供給トレイＴ１〜Ｔ３に対し、印刷調整オフセット値群が有効か否か、すなわち、ＯＮフラグ、ＯＦＦフラグのうち何れが不揮発メモリ１４に記憶されているのかが記録媒体供給トレイＴ１〜Ｔ３毎に判定される（ステップＳ３１）。
【０１８１】
印刷調整オフセット値群が有効の場合には（ステップＳ３１；Ｙｅｓ）、現在サービスモードに設定されているか否かが判定され（ステップＳ３２）、サービスモードに設定されていない場合には（ステップＳ３２；Ｎｏ）、当該使用記録媒体供給トレイＴ１〜Ｔ３に対する印刷調整オフセット値群が不揮発メモリ１４から読み出される（ステップＳ３３）。
【０１８２】
ステップＳ３３の後、当該読み出された印刷調整オフセット値群に基づいて、印刷調整標準値群が有する調整項目毎の印刷標準調整値に対し加算、減算等の変更がなされて、当該印刷調整オフセット値群に基づく印刷調整値（暫定の印刷調整値という）が算出される。その後、更に、新たな印刷調整オフセット値群が入力され、図５の図中符号Ｃｈ５に示す「ＯＫ」ボタンがタッチされると、当該新たな印刷調整オフセット値群に基づいて上記暫定の印刷調整値が加算、減算等により変更され、最終的な印刷調整値が算出される（ステップＳ３４）。この際、不揮発メモリ１４に記憶されていた印刷調整オフセット値群が、当該新たな印刷調整オフセット値群に更新される。
【０１８３】
ステップＳ３４で算出された最終的な印刷調整値が印刷調整標準値群に一致するか否か、すなわち、当該最終的な印刷調整値がゼロ（全調整項目でゼロ）であるか否かが判定され（ステップＳ３５）、印刷調整標準値群に一致しない場合には（ステップＳ３５；Ｎｏ）、当該最終的な印刷調整値が有効である旨（例えば、図１３の図中符号Ｃｈ６に示す「オフセット設定」の表示個所）が基本操作画面中に表示され（ステップＳ３６）、ステップＳ３７に移行する。
【０１８４】
ステップＳ３５の段階で、上記最終的な印刷調整値が印刷調整標準値群に一致する場合（ステップＳ３５；Ｙｅｓ）、ステップＳ３６の処理を行わずに、ステップＳ３７に移行する。
【０１８５】
ステップＳ３７では、上記最終的な印刷調整値が実行可能なデータに変換され、次のステップＳ３８において、当該実行データが制御手段１５の内蔵メモリに格納される。
【０１８６】
ステップＳ３１の段階で、印刷調整オフセット値群が無効の場合（ステップＳ３１；Ｎｏ）、又は、ステップＳ３２の段階で、現在サービスモードに設定されている場合（ステップＳ３２；Ｙｅｓ）には、ステップＳ３９に移行する。
【０１８７】
ステップＳ３９の段階では、印刷調整標準値群が印刷調整値として設定されるが、新たな印刷調整オフセット値群が入力され、図５の図中符号Ｃｈ５に示す「ＯＫ」ボタンがタッチされると、当該新たな印刷調整オフセット値群に基づいて印刷調整標準値群が加算・減算等され、最終的な印刷調整値が算出されて、ステップＳ３７に移行する。
【０１８８】
従って、記録媒体供給トレイＴ１〜Ｔ３毎及び印刷用紙の表裏毎に、印刷調整標準値群を保持したまま（消去することなく）、印刷調整オフセット値群を入力することによってこの印刷調整標準値群に対する微調整が可能となるので、プリント処理毎に印刷調整値を設定し直すことなく様々な紙種に対して詳細な印刷調整が可能となる。
更に、印刷調整標準値群が消去されずに保持されるので、サービスマンが印刷調整標準値群を入力し直さなければならない、といった事態が回避可能となる。
更に、詳細な印刷調整が記録媒体供給トレイＴ１〜Ｔ３毎にまとめて行えるので、操作性の向上が図れる。
更に、記録媒体供給トレイＴ１〜Ｔ３毎に印刷調整オフセット値群が現在設定されているか否かが基本操作画面から容易に確認できるので、そのオフセット値をクリアして新たにオフセット値を入力するか、或いは、そのオフセット値を用いるのかの判断が、記録媒体供給トレイＴ１〜Ｔ３毎に容易且つ迅速に行える。これにより、使用する紙種が多い場合であっても、誤って別の紙種用に設定された印刷調整値（例えば、直前のプリント処理で使用された印刷用紙の紙種に対する印刷調整値）が用いられる等の事態が回避可能となる。
更に、記録媒体供給トレイＴ１〜Ｔ３毎に、現在設定されている印刷調整オフセット値に含まれる全印刷調整項目の各オフセット値を一括してクリアできるので、便利である。
更に、現在有効な印刷調整オフセット値を、消去せずに保持したまま無効にできるので、印刷調整標準値群のみ用いるようなユーザに対しても、印刷調整オフセット値群の入力／消去をいちいち行うことなく対応可能となる。
更に、サービスマンが印刷調整標準値群を再入力するような場合においても、サービスモードに設定しさえすれば、現在有効な印刷調整オフセット値群をいちいち無効にしたり、不揮発メモリ１４から消去したりする必要がなく、印刷調整オフセット値群が自動的に無効に設定されるので、当該印刷調整オフセット値群を保持したまま印刷調整標準値群の再入力が行え、サービスマンの作業効率の向上が図れる。また、この再入力された印刷調整標準値群に対し、不揮発メモリ１４に既に記憶されている印刷調整オフセット値群が適用されることとなる等、印刷調整標準値群と印刷調整オフセット値群とが各々独立に調整（入力）できるので、高い調整機能を有することとなる。
【０１８９】
なお、本実施の形態における記述は、本発明に係る画像形成装置及び画像形成方法の一例を示すものであり、これに限定されるものではない。本実施の形態における画像形成装置１００の細部構成および詳細動作に関しては、本発明の趣旨を逸脱しない範囲で適宜変更可能である。
【０１９０】
例えば、印刷用紙に限らず、ＯＨＰシート等、様々な印刷用の記録媒体に対して本発明は適用可能である。また、画像形成装置１００は、カラー印刷可能なプリンタを想定したが、これに限らず、モノクロ印刷用のプリンタ等に対しても本発明は適用可能である。
【０１９１】
また、本実施の形態では、印刷調整オフセット値の入力を、操作手段１６を介して行うこととしたが、これに限らないものとする。例えば、図１４に示すように、画像形成装置１００が、ＬＡＮ等のネットワークＮを介してＰＣ（Personal Computer）等の情報機器と接続可能なネットワークインターフェースを備えたネットワークプリンタであるような場合や、ＰＣ等の情報機器と直接接続可能なシリアルポートやパラレルポート、ＵＳＢポート等を備えたローカルプリンタであるような場合には、ＰＣ等の情報機器に備えられたプリンタドライバを介して入力されることとしてもよい。
【図面の簡単な説明】
【０１９２】
【図１】本発明を適用した画像形成装置の印刷処理に係る構成を示す図である。
【図２】本発明を適用した画像形成装置のデータ処理に係る構成を示す図である。
【図３】印刷調整標準値群の一例を示す図である。
【図４】図１に示す画像書込みユニットの構成を示す図である。
【図５】印刷調整オフセット値群の入力画面の一例を示す図である。
【図６】基本操作画面の一例を示す図である。
【図７】印刷調整名一覧の表示画面の一例を示す図である。
【図８】印刷調整名を入力するためのキーボードの表示画面の一例を示す図である。
【図９】本発明を適用した印刷調整処理を説明するフローチャートである。
【図１０】本発明を適用した印刷調整処理を説明するフローチャートである。
【図１１】本発明を適用した印刷調整処理を説明するフローチャートである。
【図１２】本発明を適用した印刷調整処理を説明するフローチャートである。
【図１３】基本操作画面の一例を示す図である。
【図１４】本発明を適用した画像形成装置と情報機器とを接続した構成を模式的に示す図である。
【符号の説明】
【０１９３】
１Ｙ、１Ｍ、１Ｃ、１Ｋ  感光体ドラム
２Ｙ、２Ｍ、２Ｃ、２Ｋ  帯電手段
３Ｙ、３Ｍ、３Ｃ、３Ｋ  画像書込みユニット
４Ｙ、４Ｍ、４Ｃ、４Ｋ  現像装置
５Ｙ、５Ｍ、５Ｃ  補正手段
６  中間転写体
７Ａ  ２次転写ローラ
７Ｙ、７Ｍ、７Ｃ、７Ｋ  １次転写ローラ
８Ａ  中間転写体用クリーニング手段
８Ｙ、８Ｍ、８Ｃ、８Ｋ  感光体ドラム用クリーニング手段
９Ｙ  スキュー調整手段
１０Ｙ、１０Ｍ、１０Ｃ、１０Ｋ  画像形成ユニット
１２  レジストセンサ
１３  Ａ／Ｄ変換部
１３ａ  検出回路
１３ｂ  ＲＡＭ
１４  不揮発メモリ
１５  制御手段
１６  操作手段
１７  定着装置
１８  表示手段
２０Ａ、２０Ｂ、２０Ｃ  給紙カセット
２１  送り出しローラ
２２Ａ、２２Ｂ、２２Ｃ、２２Ｄ  給紙ローラ
２３  レジストローラ
２４  排紙ローラ
２５  排紙記録媒体供給トレイ
２６  分岐手段
２７Ａ  循環通紙路
２７Ｂ  反転搬送路
２７Ｃ  再給紙搬送部
３１  半導体レーザ光源
３２  コリメータレンズ
３３  補助レンズ
３４  ポリゴンミラー
３５  ポリゴンモータ
３６  ｆ（θ）レンズ
３７  ミラー面結像用ＣＹ１レンズ
３８  ドラム面結像用ＣＹ２レンズ
３９  反射板
４１  調整ギヤユニット
４２  調整用モータ
４５  ポリゴンモータ駆動基板
４６  ＬＤ駆動基板
４９  レーザインデックスセンサ
７０  画像処理手段
７１  画像処理回路
７２Ｃ  Ｃ−信号切換部
７２Ｋ  Ｋ−信号切換部
７２Ｍ  Ｍ−信号切換部
７２Ｙ  Ｙ−信号切換部
１００  画像形成装置
１０１  画像形成装置本体
１０２  画像読取装置
２０１  自動原稿給紙装置
２０２  原稿画像走査露光装置
Ｔ１〜Ｔ３  記録媒体供給トレイ
【図１】
2005138575.tif 000003
【図２】
2005138575.tif 000004
【図３】
2005138575.tif 000005
【図４】
2005138575.tif 000006
【図５】
2005138575.tif 000007
【図６】
2005138575.tif 000008
【図７】
2005138575.tif 000009
【図８】
2005138575.tif 000010
【図９】
2005138575.tif 000011
【図１０】
2005138575.tif 000012
【図１１】
2005138575.tif 000013
【図１２】
2005138575.tif 000014
【図１３】
2005138575.tif 000015
【図１４】
2005138575.tif 000016